(57)【要約】【課題】従来品に比べて長距離の除雪作業を可能とする除雪具を提供する。【解決手段】除雪板とこの除雪板に取り付けられる円形断面の柄とを有する除雪具において、除雪板に対し柄の鈍角折曲部にて上向き角度を有する柄を設けるとともに、該柄端を除雪板下部の接続部に設けた孔に回動可能に挿入保持することにて、除雪板に対し柄を回動可能に設けたことを特徴とする。【選択図】図９
2018096192.tif 000002
【特許請求の範囲】
【請求項１】
除雪板とこの除雪板に取り付けられる円形断面の柄とを有する除雪具において、除雪板に対し柄の鈍角折曲部にて上向き角度を有する柄を設けるとともに、該柄端を除雪板下部の接続部に設けた孔に回動可能に挿入保持することにて、除雪板に対し柄を回動可能に設けたことを特徴とする除雪板回動可能型除雪具。
【発明の詳細な説明】
【技術分野】
【０００１】  この発明は、作業者の操作にて除雪板を左右に回動させることのできる除雪具に関する。
【背景技術】
【０００２】  従来より、種々の除雪具が利用されているが、本発明にて示すように、除雪板の回動機能を有するものは現在のところ見当たらない。
【発明の概要】
【発明が解決しようとする課題】
【０００３】  降雪地域においては冬期の除雪作業は必須である。
この除雪時においては、除雪具を用いての人力作業が多用されている。
この場合に用いる除雪具としては、スコップが昔から用いられ、除雪部分をスコップより浅く大きくしたものや大きなバケット部分を有する手押し型の除雪具（通称スノーダンプ）、雪を押して用いるスノーラッセルなどがよく利用されている。
スノーラッセルは、他の除雪具に比べて比較的新しく登場したもので、除雪部分としての湾曲板とこの湾曲板と平面視直角に柄を設けて、湾曲板を雪に対し略直角にして雪を押して用いるものである。
このスノーラッセルはその湾曲した除雪板下端と路面との角度が他の除雪具に比べて直角に近いために、路上の雪をきれいに移動させることができる利点を有するが、一方、除雪板に雪が進行方向に積み重なりやすく、少し移動すると雪の抵抗にてそれ以上前進することが困難になるので、このスノーラッセルを、幾分かの雪を除雪板に載せて他方へ投げ捨てて空にし、再度上記の前進作業をくり返すことが必要となる課題を有していた。
本発明は以上に鑑み、除雪板を作業者の簡単な操作にて、平面視において左右いずれかの方向に傾けることにて、除雪板の進行方向に積み重なった雪を除雪板の傾いた方向に逃がすことによって、従来品に比べてはるかに長距離の除雪作業を可能とした、新規かつ有用なる除雪具を提供することを目的として開発されたものである。
【課題を解決するための手段】
【０００４】  課題を解決する手段として本発明は以下の構成とした。
すなわち、除雪板とこの除雪板に取り付けられる円形断面の柄とを有する除雪具において、除雪板に対し柄の鈍角折曲部にて上向き角度を有する柄を設けるとともに、該柄端を除雪板下部の接続部に設けた孔に回動可能に挿入保持することにて、除雪板に対し柄を回動可能に設ける。本発明は以上の構成よりなる除雪板回動型除雪具である。
【発明の効果】
【０００５】  本発明によれば、柄に対し除雪板の平面視における左右の首振りができるので、除雪板容量を超える雪を傾けた方向へ逃がすことができ、平行直進のみであった従来の除雪具に比べてその進行距離を長くすることのできる有用なる用具を得ることができる。
また、ピン等の回動部への挿入にて前記首振りを解除して除雪板に対し柄を垂直固定として、従来品と同等の利用も可能であるとともに、既例のように固定環方式とすることにて、除雪板と柄を分離可能として、その収納にも便利なる除雪具とすることができる。
【図面の簡単な説明】
【０００６】
【図１】従来例の平面図
【図２】従来例の正面図
【図３】本発明の平面図
【図４】本発明の正面図
【図５】本発明の要部拡大説明図（正面視）
【図６】本発明の要部拡大説明図（平面視）
【図７】本発明の要部拡大説明図（部分縦断面）
【図８】本発明の要部拡大説明図（部分拡大縦断面）
【図９】本発明の使用説明図
【図１０】本発明の使用説明図（除雪板非回動時）
【発明を実施するための最良の形態】
【０００７】  以下、本発明の実施形態について説明する。
図において、１は除雪板で、合成樹脂による平面視長方形で正面視は上に凹となる湾曲形状でその中央に向けて凹みを有している。この除雪板の底部中程には接続部２が一体に形成されている。３は柄で、適当長の合成樹脂製管体であって、その一端は上記接続部に後述の接続管を介して挿入保持され、他端には握持部４が固定されている。５は柄の一部としての金属管による接続管で、正面視において鈍角に折曲した形状である。この接続管の一端は前記の柄に挿入固着され、他端は接続部にゆるい嵌合状態にて挿入保持される。【０００８】  接続部２は図５にて示すように、合成樹脂製管体によりその主要部が形成され、上部補強板６と水平補強板７を有して除雪板下部に一体形成される。この接続部の管体部分は図８にて示すように、適当長の孔による接続管挿入部８が設けられ、やや小径となる段部９を有している。前記接続管は図８にて示すように、やや大径となる段部１０を有しており、この段部から接続管端までの距離は、接続管挿入部長さとほぼ同一である。
１１は固定環で、ワッシャ状の金属製環体であり、その外径は接続部と一致し、その内径は接続管の外径に近似である。また、この固定環には四等配に孔が穿設され、接続部の端面には同じく四等配に雌ネジが刻設される。従って、図８にて示すように、この固定環はビス１２にて接続部端面に螺着され、接続管の大径部分は段部９と固定環との間に位置して、その軸方向の動きは規制されつつ回動可能状態となっている。
１３は接続部と接続管を貫通する挿通孔、１４は柄に貫通して穿設される蝶ボルト収納孔である。１５は市販の蝶ボルト、１６は蝶ナットである。【０００９】  次に本発明の使用について説明する。まず図５および図６にて示すように、挿通孔に挿入固定されている蝶ボルトと蝶ナットを外し、柄の蝶ボルト収納孔に挿入保持させる。
この状態において、柄は除雪板に対し回動可能となっている。
柄の握持部を右下へひねると柄は回り、接続管はその先の首振りがなされて右方へ傾斜するので、図９にて示すように除雪板を傾斜させることができる。このまま除雪作業すなわち柄を握って前進すると、除雪板に雪が積み重なるが、やがてこの傾斜のために雪の一部は右方へ押し出されるために、除雪板は一定量の雪を溜めたままずっと直進することができる。握持部を左下へひねると上記とは逆に除雪板は左方へ傾き、同様の作業を行うことができる。従来方式の直進希望のときは、蝶ボルトと蝶ナットを柄から外して、図１０にて示すように接続部の挿通孔に留めることにて、除雪板に対する柄の回動はなくなり、平面視における柄と除雪板の垂直を保ったままで直進除雪を行うことができる。【００１０】  以上、本発明について記したが、本発明は除雪板の左右首振りができるところにその特徴を有し、前進除雪の場合における雪の逃がしを行うことができ、従来品では不可能であった長距離前進除雪を可能としたものである。
既例においては直管状の柄に折曲した接続管を挿入固着して一体化したが、ビス止め等にて固定してもよい。また、固定手段としての蝶ボルトと蝶ナットに代えて、図８の仮想線にて示すように、リングと雄ネジを一体化したものに蝶ナットを組み合わせ、上方から挿通孔に差し込み固定する方式としてもよい。また、図示した除雪板構造は実施の一例であって、目的を満たす他の構造としてもよく、接続管の折曲角度も使用状況に合わせて適宜に選択設計することができる。既例においては接続部に対する接続管の回動可能保持構造は一例であって、近似の他の構造としてもよい。以上のごとく、本発明によって長距離の除雪を可能とする有意な物品を得ることができる。
【符号の説明】
【００１１】  １    除雪板
２    接続部
３    柄
４    握持部
５    接続管
６    上部補強板
７    水平補強板
８    接続管挿入部
９    段部
１０  段部
１１  固定環
１２  ビス
１３  挿通孔
１４  蝶ボルト収納孔
１５  蝶ボルト
１６  蝶ナット
【図１】
2018096192.tif 000003
【図２】
2018096192.tif 000004
【図３】
2018096192.tif 000005
【図４】
2018096192.tif 000006
【図５】
2018096192.tif 000007
【図６】
2018096192.tif 000008
【図７】
2018096192.tif 000009
【図８】
2018096192.tif 000010
【図９】
2018096192.tif 000011
【図１０】
2018096192.tif 000012